(57)【要約】【課題】  端子金具がキャビティ内でがた付くのを防止する。【解決手段】  雌端子金具３０の基板３６には、電線９０の端末被覆９１に向けて突出する電線押し上げ部３９が形成され、電線９０の端末被覆９１には、電線押し上げ部３９と当接する被押圧面９１Ａとは反対側の面に、電線押し上げ部３９の押し上げに伴って膨出するがた詰め部９５が形成されている。雌ハウジング１０のキャビティ１１内に雌端子金具３０が収容されたとき、がた詰め部９５がキャビティ１１の内壁に弾接して基板３６とともにキャビティ１１の内壁を押圧する。しかたがって、電線９０が軸直交方向に振れても、雌端子金具３０がキャビティ１１内でがた付くことはない。【選択図】  図３
2006100235.tif 000002
【特許請求の範囲】
【請求項１】
コネクタハウジングには、端子金具を収容可能なキャビティが形成され、前記端子金具は、電線の被覆を載せる基板とこの基板の両側縁から突出して前記電線の被覆にかしめ付けられる一対のかしめ片とを備えており、
前記基板には、前記電線の被覆に向けて電線押し上げ部が突出して形成され、前記電線の被覆には、前記電線押し上げ部と当接する被押圧面とは反対側の面に、前記電線押し上げ部の押し上げに伴ってがた詰め部が膨出して形成されており、前記キャビティ内に前記端子金具が収容されたとき、前記がた詰め部が前記キャビティの内壁に弾接して前記基板とともに前記キャビティの内壁を押圧する構成としたことを特徴とするコネクタ。
【請求項２】
前記一対のかしめ片は、前記電線の被覆の外周面に沿いつつ前記電線の軸方向の前後に互い違いとなって配置されており、前記電線の被覆において前記がた詰め部を挟んだ前後に両かしめ片の突出端部がかしめ固定されていることを特徴とする請求項１に記載のコネクタ。
【発明の詳細な説明】
【技術分野】
【０００１】  本発明は、コネクタに関する。
【背景技術】
【０００２】  一般的にコネクタは、互いに嵌合可能な雌雄の両ハウジングを備え、両ハウジングには電線の端末に固着された端子金具が収容されている。このうち特許文献１に開示された雌ハウジングのキャビティ内に収容される雌端子金具は、雄端子金具を挿入可能な箱形をなす接続部とその後方に配置されて電線の端末被覆にかしめ付けられるバレル部とを備え、両ハウジングが正規嵌合されることにより、接続部内にて雄端子金具との電気的な接続がとられるようになっている。ここで、雌端子金具がキャビティ内に収容されると、本体部はキャビティ内に緊密に嵌合するものの、バレル部と電線の端末とはキャビティ内に遊嵌されるようになっている。
【特許文献１】  特開平９−１５３３８６号公報
【発明の開示】
【発明が解決しようとする課題】
【０００３】  上記の場合、バレル部と電線の端末とがキャビティの内壁との間にクリアランスをもって収容されているため、両ハウジングが正規嵌合されたあと電線が軸直交方向に振れたりすると、バレル部がキャビティ内でがたつく懸念があった。そうすると、雌雄の両端子金具の接点領域が磨耗したりして接続信頼性を確保し難いという事情があった。【０００４】  本発明は上記のような事情に基づいて完成されたものであって、端子金具がキャビティ内でがた付くのを防止することを目的とする。
【課題を解決するための手段】
【０００５】  上記の目的を達成するための手段として、請求項１の発明は、コネクタハウジングには、端子金具を収容可能なキャビティが形成され、前記端子金具は、電線の被覆を載せる基板とこの基板の両側縁から突出して前記電線の被覆にかしめ付けられる一対のかしめ片とを備えており、前記基板には、前記電線の被覆に向けて電線押し上げ部が突出して形成され、前記電線の被覆には、前記電線押し上げ部と当接する被押圧面とは反対側の面に、前記電線押し上げ部の押し上げに伴ってがた詰め部が膨出して形成されており、前記キャビティ内に前記端子金具が収容されたとき、前記がた詰め部が前記キャビティの内壁に弾接して前記基板とともに前記キャビティの内壁を押圧する構成としたところに特徴を有する。【０００６】  請求項２の発明は、請求項１に記載のものにおいて、前記一対のかしめ片は、前記電線の被覆の外周面に沿いつつ前記電線の軸方向の前後に互い違いとなって配置されており、前記電線の被覆において前記がた詰め部を挟んだ前後に両かしめ片の突出端部がかしめ固定されているところに特徴を有する。
【発明の効果】
【０００７】  ＜請求項１の発明＞
端子金具の基板には電線の被覆に向けて電線押し上げ部が突出して形成され、電線の被覆には電線押し上げ部の押し上げに伴ってがた詰め部が膨出して形成されており、コネクタハウジングのキャビティ内に端子金具が挿入されると、がた詰め部がキャビティの内壁に弾接して基板とともにキャビティの内壁を押圧する構成とされるから、コネクタハウジングが相手側のコネクタハウジングと正規嵌合されたあと仮に電線が軸直交方向に振れたとしても、電線とこれに接続された端子金具とがキャビティ内でがた付くことはなく、もって端子金具の接続信頼性を高めることができる。また、がた詰め部がキャビティの内壁に弾接するから、キャビティの内壁を傷つけることもない。【０００８】  ＜請求項２の発明＞
一対のかしめ片が電線の被覆の外周面に沿いつつ電線の軸方向の前後に互い違いとなって配置されており、電線の被覆においてがた詰め部を挟んだ前後に両かしめ片の突出端部がかしめ固定されているから、端子金具がキャビティ内に収容されたとき、がた詰め部がキャビティの内壁との間に潰される事態を回避でき、もってキャビティの内壁に対するがた詰め部の弾発力を維持することができる。
【発明を実施するための最良の形態】
【０００９】  本発明の一実施形態を図１ないし図４によって説明する。本発明に係るコネクタは、雄コネクタＭと嵌合可能な雌コネクタＦを例示しており、雌端子金具３０を収容可能なキャビティ１１が形成された雌ハウジング１０を備えて構成されている。なお、以下の説明において前後方向については、雄コネクタＭに対する嵌合面側を前方とする。【００１０】  まず、相手側となる雄ハウジング５０について説明すると、雄ハウジング５０は、図２に示すように、前方に開口する角筒状の嵌合筒部５１を備え、この嵌合筒部５１の奥壁５２に、複数の雄端子金具７０が圧入により固定されている。各雄端子金具７０は、上下２段で幅方向に複数列配置されている。各雄端子金具７０は、嵌合筒部５１の奥壁５２を前後に貫通するとともに嵌合筒部５１の内側にほぼ水平に突出する端子接続部７１と、この端子接続部７１の後端から下方へ折れたあとその下端からさらに後方へほぼ水平に突出する基板接続部７２とからなる。端子接続部７１は雌端子金具３０との接続をとる一方、基板接続部７２は図示しないプリント基板の導電路との接続をとる構成とされる。端子接続部７１の前端は、嵌合筒部５１の前端から後方の奥まった位置に配置され、嵌合筒部５１の奥壁５２寄りの位置で両端子金具３０，７０の接続がとられる。また、嵌合筒部５１の下壁には、後述する雌ハウジング１０の膨出部１２との干渉を回避するための逃がし５３が前端に開口して形成されている。【００１１】  続いて、雌ハウジング１０について説明する。雌ハウジング１０は、図１に示すように、嵌合筒部５１に内嵌可能な大きさでブロック状に形成され、その内部に、上下２段で幅方向に複数列のキャビティ１１が前後に貫通して形成されている。キャビティ１１の前壁１３には、上記した雄端子金具７０の端子接続部７１が挿入される端子挿入口１３Ａがラッパ状に開口して形成されている。また、キャビティ１１の内壁には、前方へ向けて片持ち状に延出するランス１４が撓み可能に形成されている。ランス１４は、キュビティ１１の前後方向ほぼ中央部に位置する基端部を支点として上下方向に弾性変形可能とされ、その先端部に、雌端子金具３０の係止受け部３１（後述する）と係合可能な係止突部１５を設けて構成される。【００１２】  また、雌ハウジング１０には、リテーナ４０が組み付け可能とされる。リテーナ４０は、いわゆるサイドタイプのリテーナであって、雌ハウジング１０の下面に開口するリテーナ装着孔１６からキャビティ１１を横切るようにして差し込まれる。リテーナ４０は、リテーナ装着孔１６に浅く差し込まれた仮係止位置とリテーナ装着孔１６に深く差し込まれた本係止位置との間を移動可能とされ、仮係止位置にて雌端子金具３０の挿抜を許容する一方、本係止位置にてキャビティ１１内に正規挿入された雌端子金具３０を抜け止め状態で保持するようになっている。そして、リテーナ４０は、底板４１と立板４２とにより断面略Ｌの字状に形成され、立板４２に、本係止位置にて雌端子金具３０と係合可能な係止部４３が形成されている。したがって、雌端子金具３０は、ランス１４とリテーナ４０とによる二重の係止を受けてキャビティ１１内に確実に抜け止めされるようになっている。なお、���段のキャビティ１１の内壁下面に形成されたランス１４は、リテーナ装着孔１６に臨む位置に配されており、リテーナ４０が仮係止位置にあるときには、底板４１との間に撓み空間を保有して下方への弾性撓みが可能とされる一方、リテーナ４０が本係止位置にあるときには、底板４１に下支えされて下方への弾性撓みが規制されるようになっている。【００１３】  また、キャビティ１１の内壁には、前後方向の中央部より後端寄りの位置に、後方へ向けて下り勾配となる段差１７が形成されている。雌ハウジング１０の下面は、下段のキャビティ１１の内壁下面にほぼ沿って形成されており、段差１７に対応する部分を境とした後半部に、膨出部１２を設けて構成される。したがって、雌ハウジング１０は、膨出部１２よりも前半部のサイズを小さく設定できるので、相手側となる嵌合筒部５１のサイズをも同じく小さく設定でき、ひいてはコネクタ全体としての高さ寸法を低く抑えることができる。また、両ハウジング１０，５０の正規嵌合時には、膨出部１２の一部が嵌合筒部５１の逃がし５３に進入するので、コネクタ全体としての前後長さ寸法を小さく抑えることができる。そして、膨出部１２の後端縁には、指掛部１８が下方に向けて突出して形成され、ここを摘むことで両ハウジング１０，５０の嵌合・離脱操作が容易に行われるようになっている。【００１４】  次いで、雌端子金具３０について説明する。雌端子金具３０は、導電性の金属板を所定形状に打ち抜いたあと曲げ加工等して形成され、前後方向に細長い形状とされている。詳しくは雌端子金具３０は、相手の雄端子金具７０との接触を実現するための角筒状をなす本体部３２を備え、この本体部３２の後方に設けられたバレル３３をかしめることにより、電線９０の端末に固着されている。本体部３２には、図３に示すように、雄端子金具７０の端子接続部７１と弾性的に接触する弾性接触片３２Ａが形成され、この弾性接触片３２Ａは、後端部を支持端として前方へ向けて片持ち状に延出して形成されている。本体部３２において弾性接触片３２Ａが形成された面と反対側の面には、ランス１４の進入を可能とする窓孔３２Ｂが開いており、この窓孔３２Ｂの前縁が係止受け部３１となっている。かかる雌端子金具３０は、キャビティ１１内に後方からランス１４を撓み変形させつつ押し込まれ、正規挿入されると、ランス１４が復元してその係止突部１５が窓孔３２Ｂに進入するとともに係止受け部３１に弾性係止するようになっている。【００１５】  バレル３３は、電線９０の端末被覆９１の皮剥ぎによって露出する芯線９２にかしめ付けられるワイヤバレル３４とその後方に連なって電線９０の端末被覆９１にかしめ付けられるインシュレーションバレル３５とから構成される。ワイヤバレル３４とインシュレーションバレル３５は、図４に示すように、いずれも、前後方向に延びる長板状の基板３６とその両側縁から軸直交方向に突出する一対のかしめ片３７Ａ，３７Ｂとを備えており、基板３６上に電線９０の端末被覆９１が載せられたあと両かしめ片３７Ａ，３７Ｂが電線９０の芯線９２及び端末被覆９１の両外周面に沿って巻き付けられるようになっている。【００１６】  ワイヤバレル３４の両かしめ片３７Ａは、基板３６を挟��で対向する位置に配置されている一方、インシュレーションバレル３５の両かしめ片３７Ｂは、基板３６の両側縁において前後方向（電線９０の軸方向もしくは電線９０の延出方向と同義）に間隔をあけて互い違いとなって配置されている。そして、インシュレーションバレル３５の両かしめ片３７Ｂが電線９０に巻き付けられた状態では、両かしめ片３７Ｂの突出端部が前後方向から見て互いに重なり合うようになっている。【００１７】  さて、雌端子金具３０の基板３６には、電線９０の端末被覆９１に向けて突き出る電線押し上げ部３９が叩き出しにより形成されている。電線押し上げ部３９は、図１及び図４に示すように、平面視すると方形状で、かつ側面視すると台形状に底上げされた形態をなし、その突出端面が前後方向に沿った平坦面となっている。そして、この電線押し上げ部３９は、インシュレーションバレル３５における前後一対の両かしめ片３７Ｂの間に配置されている。【００１８】  また、電線９０は、雌端子金具３０の本体部３２よりも高さ寸法を大きくして形成され、大電流回路に対応した太物電線とされる。そして、電線９０は、オーブンバレル状に開いたバレル３３の間から基板３６上に載せられ、その状態でワイヤバレル３４及びインシュレーションバレル３５の両かしめ片３７Ａ，３７Ｂによってかしめ固定される。この場合に、インシュレーションバレル３５と対応する電線９０の端末被覆９１には、電線押し上げ部３９との当接によって弾性的に凹んだ被押圧面９１Ａが形成され、かつ、この被押圧面９１Ａと軸線を挟んで対称する面に、電線押し上げ部３９による押し出しを受けて膨出するがた詰め部９５が形成される。【００１９】  がた詰め部９５は、周囲の面より被覆９１の厚み分ほど突出するとともに、ちょうど前後一対の両かしめ片３７Ｂの突出端部の間に配置されており、両かしめ片３７Ｂによって前後位置が仕切られるようになっている。言い換えると、両かしめ片３７Ｂの突出端部は、電線９０の端末被覆９１においてがた詰め部９５を挟んだ前後にかしめ固定されており、これにより、がた詰め部９５が型崩れすることなく当初の弾性力を維持できるようになっている。がた詰め部９５の形状は、電線押し上げ部３９と対応する形状であって、キャビティ１１内に収容されたときにはキャビティ１１の内壁と弾接してその先端部が僅かに弾縮するようになっている。【００２０】  次に、本実施形態の作用について説明する。まず、雄ハウジング５０を図示しないプリント基板上に固定して待ち受け状態とする。続いて、図１に示すように、リテーナ４０を仮係止位置に留め置き、その状態で雌ハウジング１０のキャビティ１１内に後方から雌端子金具３０を挿入する。このとき、雌端子金具３０の基板３６をキャビティ１１の内壁上面に沿わせるようにして雌端子金具３０を押し込むようにする。雌端子金具３０が正規挿入されると、ランス１４の係止突部１５と係止受け部３１との係合に基づいて雌端子金具３０がキャビティ１１内に一次係止される。この状態からリテーナ４０を本係止位置に押し込むと、図２に示すように、リテーナ４０の係止部４３と雌端子金具３０のあご部３２Ｅとの係合に基づいて雌端子金具３０がキャビティ１１内に二次係止される。【００２１】  こうして雌端子金具３０がキャビティ１１内に正規挿入されると、雌端子金具３０の全体と雌端子金具３０の後方に露出する電線９０の端末の一部とがキャビティ１１内に収容される。そして、がた詰め部９５がキャビティ１１の内壁下面に弾接するとともに、基板３６が電線押し上げ部３９を除いてキャビティ１１の上面に面当りする。がた詰め部９５と基板３６とがキャビティ１１の内壁を上下方向に押圧することにより、キャビティ１１内における雌端子金具３０の遊動が確実に規制される。【００２２】  その後、待ち受け状態にある雄ハウジング５０の嵌合筒部５１内に、雌ハウジング１０を嵌め入れる。図３に示すように、雌ハウジング１０の前端が嵌合筒部５１の奥壁５２の前面に当て止まるまで雌ハウジング１０を嵌合筒部５１内に押し込むと、雄端子金具７０の端子接続部７１が端子挿入口１３Ａを通して雌端子金具３０の本体部３２内に進入して弾性接触片３２Ａと電気的に接続される。【００２３】  以上のように、本実施形態によれば、雌端子金具３０の基板３６に、電線９０の端末被覆９１に向けて突出する電線押し上げ部３９が形成され、電線９０の端末被覆９１に、電線押し上げ部３９の押し上げに伴って膨出するがた詰め部９５が形成されており、雌ハウジング１０のキャビティ１１内に雌端子金具３０が挿入されると、がた詰め部９５がキャビティ１１の内壁に弾接して基板３６とともにキャビティ１１の内壁を押圧する構成とされるから、雌ハウジング１０が雄ハウジング５０と正規嵌合されたあと仮に電線９０が軸直交方向に振れたとしても、雌端子金具３０がキャビティ１１内でがた付くことはなく、もって雌雄の両端子金具３０，７０の接続信頼性を高めることができる。また、がた詰め部９５がキャビティ１１の内壁に弾接するから、キャビティ１１の内壁の損傷を防止することができる。【００２４】  インシュレーションバレル３５の両かしめ片３７Ｂが電線９０の端末被覆９１の外周面に沿いつつ前後に互い違いとなって配置されており、電線９０の端末被覆９１においてがた詰め部９５を挟んだ前後に両かしめ片３７Ｂの突出端部がかしめ固定されているから、雌端子金具３０がキャビティ１１内に収容されたとき、がた詰め部９５がキャビティ１１の内壁との間に潰される事態を回避でき、もってキャビティ１１の内壁に対するがた詰め部９５の弾発力を維持することができる。【００２５】  ＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明においては、ワイヤハーネス同士を接続するコネクタにも適用することができる。その場合には、雄端子金具側に電線押し上げ部を形成し、雄端子金具に接続される電線にがた詰め部を形成しても構わない。
（２）本発明においては、がた詰め部がそのがた詰め機能を発揮できる範囲で、電線押し上げ部の突出量及び形状を任意に設定できる。
（３）本発明においては、電線径が雌端子金具の本体部の高さ寸法よりも小さいものにも適用することができる。
【図面の簡単な説明】
【００２６】
【図１】  本発明の一実施形態に係るコネクタにおいて雌端子金具を挿入する前の雌ハウジングの側断面図
【図２】  雄ハウジングと嵌合する前の雌ハウジングの側断面図
【図３】  雄ハウジングと嵌合した雌ハウジングの側断面図
【図４】  雌端子金具の平面図
【符号の説明】
【００２７】１０…雌ハウジング
１１…キャビティ
３０…雌端子金具（端子金具）
３２…本体部
３６…基板
３９…電線押し上げ部
５０…雄ハウジング
５１…嵌合筒部
９０…電線
９５…がた詰め部分
【図１】
2006100235.tif 000003
【図２】
2006100235.tif 000004
【図３】
2006100235.tif 000005
【図４】
2006100235.tif 000006
【手続補正書】
【提出日】平成17年9月20日(2005.9.20)
【手続補正１】
【補正対象書類名】図面
【補正対象項目名】全図
【補正方法】変更
【補正の内容】
【図１】
2006100235.tif 000007
【図２】
2006100235.tif 000008
【図３】
2006100235.tif 000009
【図４】
2006100235.tif 000010